(57)【要約】【課題】画像読取装置に副走査方向以外の方向の衝撃が加わった場合であっても、読取手段の移動機構にがたつきや変形が発生することを防止することができる画像読取装置を提供する。【解決手段】読取センサ６１は画像を読み取る。センサホルダ６２は、読取センサ６１を主走査方向及び副走査方向に直交する方向に移動可能に支持する。ロック機構５０は、センサホルダ６２が移動可能に支持する読取センサ６１の移動を規制可能である。【選択図】図２
2017224897.tif 000002
【特許請求の範囲】
【請求項１】
画像を読み取る読取手段と、
前記読取手段を主走査方向及び副走査方向に直交する方向に移動可能に支持する支持手段と、
前記支持手段が移動可能に支持する前記読取手段の移動を規制可能な規制手段と、を備えた、
ことを特徴とする画像読取装置。
【請求項２】
前記規制手段は、前記読取手段の前記支持手段に対する前記主走査方向及び副走査方向に直交する高さ方向の移動を規制する動作に連動して、前記読取手段の前記副走査方向の移動を規制する、
ことを特徴とする、請求項１に記載の画像読取装置。
【請求項３】
前記規制手段は、前記読取手段と係合して前記読取手段を前記支持手段に対して前記高さ方向の所定位置に移動可能な移動部材と、前記所定位置で前記移動部材と係合して前記読取手段の前記高さ方向の移動を規制する高さ方向係合部と、を有する、
ことを特徴とする、請求項２に記載の画像読取装置。
【請求項４】
前記規制手段は、前記所定位置で前記読取手段と係合して前記読取手段の前記副走査方向の移動を規制する副走査方向係合部を有する、
ことを特徴とする、請求項３に記載の画像読取装置。
【請求項５】
前記副走査方向係合部は、前記副走査方向の任意の位置で前記読取手段と係合可能である、
ことを特徴とする、請求項４に記載の画像読取装置。
【請求項６】
前記移動部材は、前記読取手段の前記主走査方向の両端部をそれぞれ押圧可能な１対の押圧部と、前記１対の押圧部のうちの一方の押圧部の前記高さ方向の移動に連動して他方の押圧部を同方向に移動させる連動部と、を有し、
所定方向への回動により前記一方の押圧部を前記所定位置に向けて押圧する回動部材を備えた、
ことを特徴とする、請求項３ないし５のうちの何れか１項に記載の画像読取装置。
【請求項７】
原稿が載置される透明板と、
前記読取手段が前記透明板に当接するように前記読取手段を前記高さ方向に付勢する付勢手段と、を備え、
前記規制手段は、前記付勢手段の付勢力に抗して前記読取手段を前記透明板から離間させた状態で前記読取手段の前記高さ方向の移動を規制する、
ことを特徴とする、請求項１ないし６のうちの何れか１項に記載の画像読取装置。
【請求項８】
前記読取手段の前記高さ方向の移動及び前記副走査方向の移動が規制されていることを検知する検知手段を備えた、
ことを特徴とする、請求項１ないし７のうちの何れか１項に記載の画像読取装置。
【発明の詳細な説明】
【技術分野】
【０００１】
本発明は、読取手段を副走査方向に移動させて画像を読み取る画像読取装置に関する。
【背景技術】
【０００２】
読取手段を副走査方向に移動させて画像を読み取る画像読取装置が開発されている。画像読取装置は、装置運搬時の衝撃や振動で読取手段の移動精度が損なわれないように、筐体に対して読取手段の副走査方向の移動をロックするロック機構を装備している場合がある（特許文献１）。
【０００３】
特許文献１では、筐体に設けたスライド部材をスライドさせて読取手段に設けた切り欠きに噛み合わせることにより、筐体に対する読取手段の副走査方向の移動をロックしている。
【先行技術文献】
【特許文献】
【０００４】
【特許文献１】特開２０１４−４５２９９号公報
【発明の概要】
【発明が解決しようとする課題】
【０００５】
特許文献１の画像読取装置では、筐体に対して読取手段の副走査方向の移動がロックされた状態であっても、筐体に大きな衝撃が加わると、鉛直方向等の副走査方向以外の方向で読取手段に衝撃が作用する可能性がある。そのような衝撃によって、読取手段の移動機構にがたつきや変形が発生する可能性がある。
【０００６】
本発明は、画像読取装置に副走査方向以外の方向の衝撃が加わった場合であっても、読取手段の移動機構にがたつきや変形が発生することを防止できる画像読取装置を提供することを目的としている。
【課題を解決するための手段】
【０００７】
本発明の画像読取装置は、画像を読み取る読取手段と、前記読取手段を主走査方向及び副走査方向に直交する方向に移動可能に支持する支持手段と、前記支持手段が移動可能に支持する前記読取手段の移動を規制可能な規制手段と、を備えたものである。
【発明の効果】
【０００８】
本発明によれば、筐体に副走査方向以外の方向の衝撃が加わった場合であっても、読取手段の移動機構にがたつきや変形が発生することを防止することができる。
【図面の簡単な説明】
【０００９】
【図１】実施の形態１における画像読取装置の斜視図である。
【図２】画像読取ユニットの内部構造の斜視図である。
【図３】別の角度から見た画像読取ユニットの内部構造の斜視図である。
【図４】読取部の構成の説明図である。
【図５】ロック機構の動作の説明図である。（ａ）は通常時、（ｂ）はロック時である。
【図６】第１ロック部材と第２ロック部材の連動機構の説明図である。（ａ）は通常時、（ｂ）はロック時である。
【図７】第１ロック部材と第２ロック部材の連動機構の斜視図である。（ａ）は通常時、（ｂ）はロック時である。
【図８】連動機構の組み立ての説明図である。
【図９】操作レバーの組み立ての説明図である。
【図１０】係合リブ集合体の斜視図である。
【図１１】操作レバーの操作状態の説明図である。
【図１２】ロック状態の検知センサの説明図である。（ａ）は通常時、（ｂ）はロック時である。
【図１３】連動機構の別の例の説明図である。（ａ）は通常時、（ｂ）はロック時である。
【発明を実施するための形態】
【００１０】
以下、添付した図面を参照して本発明の実施の形態を詳細に説明する。
【００１１】
＜実施の形態１＞
実施の形態１では、読取センサの主走査方向の両端部を押圧して透明板から離間させる動作に伴って読取センサの副走査方向の移動が規制される。
【００１２】
（画像読取装置）
図１は実施の形態１における画像読取装置の斜視図である。図２は画像読取ユニットの内部構造の斜視図である。図３は別の角度から見た画像読取ユニットの内部構造の斜視図である。図４は読取部の構成の説明図である。
【００１３】
図１に示すように、画像読取装置Ａは、透明板４の上に載置した原稿Ｇを圧着板３で押圧して透明板４に密着させた状態で、画像読取ユニットＢにより原稿Ｇの下面の画像を読み取る。圧着板３は、画像読取ユニットＢの上面に透明板４を覆うように配置された板状部材である。圧着板３は、透明板４に載置された原稿Ｇを押圧して透明板４に圧着させる。圧着板３は、画像読取ユニットＢの上面にヒンジ３１によって開閉自在に連結されている。圧着板３は、画像読取ユニットＢの筐体１に対して回動可能に連結されている。
【００１４】
筐体１は、剛性の高い枠状のフレームである。筐体１の上面に読取ユニットカバー２を取り付けている。読取ユニットカバー２には、ガラス等の透明材料からなる透明板４が取り付けられている。
【００１５】
図２に示すように、画像読取ユニットＢの内部を矢印Ｅ方向に縦断してガイドシャフト８が配置される。ガイドシャフト８は、読取部６のセンサホルダ６２を矢印Ｅ方向へ移動自在に支持している。読取部６は、ガイドシャフト８に案内されて、画像読取ユニットＢの筐体１内で矢印Ｅ方向に移動する。
【００１６】
読取部６は、図１の透明板４上に載置された原稿Ｇの下面を主走査方向に線状に照明して撮像する。読取部６は、矢印Ｅ方向の所定ピッチの各位置で、図１に示す透明板４に載置された原稿Ｇの下面の線画像を読取センサ６１の光電センサ等により電気信号に変換する。センサホルダ６２が矢印Ｅ方向に移動することにより、読取センサ６１が原稿Ｇ全体の画像を撮像する。
【００１７】
読取手段の一例である読取センサ６１は画像を読み取る。読取センサ６１は、主走査方向（矢印Ｆ方向）及び副走査方向（矢印Ｅ方向）に直交する高さ方向に移動可能に支持され、センサホルダ６２の副走査方向（矢印Ｅ方向）への移動に伴って副走査方向へ移動して画像を読み取る。読取センサ６１は、上面を主走査方向に横断させて多数照明素子を配列している。読取センサ６１の内部には、原稿Ｇの画像を読み取るためのレンズ、及び光電変換素子を搭載している。
【００１８】
支持手段の一例であるセンサホルダ６２は、読取センサ６１を主走査方向及び副走査方向に直交する方向に移動可能に支持する。センサホルダ６２は、ガイドシャフト８に支持されて矢印Ｅ方向へ移動可能である。センサホルダ６２は、ガイドシャフト８に対して副走査方向にのみ移動可能である。センサホルダ６２は、後述する圧縮コイルバネ６４によって読取センサ６１を高さ方向へ移動可能に支持している。
【００１９】
図３に示すように、センサホルダ６２は、歯付きベルトを用いた駆動ベルト１１に固定されている。センサホルダ６２は、駆動ベルト１１の回転に伴って、ガイドシャフト８上を矢印Ｅ方向に移動する。駆動ベルト１１は、駆動ギア１０と駆動ベルトホルダ１２とに噛み合って筐体１内に張架される。駆動ギア１０は、駆動モータ９に噛み合っている。駆動モータ９は、発生した動力で駆動ベルト１１を駆動して、読取部６をガイドシャフト８上で往復移動させる。
【００２０】
図４に示すように、読取センサ６１は、センサホルダ６２の内側に、高さ方向へ移動可能に保持されている。読取センサ６１は、読取センサ６１のガイド溝６１３をセンサホルダ６２のガイド板６２１に案内させて、センサホルダ６２に対し高さ方向へ移動可能である。読取センサ６１に設けられたガイド溝６１３に、センサホルダ６２に設けられたガイド板６２１を係合させることにより、読取センサ６１の主走査方向の移動が規制される。
【００２１】
付勢手段の一例である圧縮コイルバネ６４は、読取センサ６１が図１の透明板４の下面に当接するように、読取センサ６１を透明板４側へ付勢する。圧縮コイルバネ６４は、センサホルダ６２に下端を当接させ、読取センサ６１に上端を当接させている。
【００２２】
読取センサ６１の上面の両端部に摩擦係数の小さなスペーサ６３が取り付けられている。スペーサ６３は、読取センサ６１の矢印Ｅ方向の移動に伴って図１の透明板４の下面に摺擦する。透明板４により、読取センサ６１の撮像素子及び照明素子は、原稿Ｇと一定距離を保つ。
【００２３】
（比較例）
図３に示すように、画像読取装置Ａは、搬送時や移設時に、画像読取装置Ａ内で読取部６が不用意に移動しないように、画像読取装置Ａ内で読取部６を固定するロック機構を設ける必要がある。ロック機構は、構造が簡単で部品点数が少ないこと、また、ロック機構へのアクセスが容易であることが求められる。
【００２４】
ロック機構は、通常、画像読取装置の側部や底部に、手動でロック操作を行うための操作部を配置し、操作部に連結された係合部材を画像読取装置内に設けている。そして、読取部をロックする際には、画像読取装置の外側で操作部を手動操作して、画像読取装置の内側で係合部材を画像読取部に係合させている。
【００２５】
比較例１のロック機構は、特許文献１に示されるように、主走査方向にスライド可能な係合部材を画像読取部の主走査方向の端部に設けた切り欠きに係合させて画像読取部の副走査方向の移動をロックする。比較例１のロック機構は、画像読取部の高さ方向の移動についてはロックできない。このため、副走査方向の移動をロックしている状態で画像読取装置に強い衝撃が加わると、画像読取装置の内側で画像読取部が高さ方向に振動して透明板から離間して再衝突する可能性がある。
【００２６】
比較例１のロック機構は、画像読取部を副走査方向に移動させて特定位置（ホームポジション）に位置決めないと、係合部材を画像読取部の切り欠きに係合させることができない。このため、モータの破損等で画像読取部を移動させることができなくなった場合、画像読取部をロックできなくなる。
【００２７】
比較例１のロック機構は、画像読取部の主走査方向の一端部のみで画像読取部の移動を規制している。このため、画像読取部の一端部がロックされた状態で画像読取装置に強い衝撃が作用すると、拘束されていない画像読取部の他端部が副走査方向へ大きく位置ずれして画像読取部が副走査方向に揺れてしまう。
【００２８】
そこで、実施の形態１では、図５の（ｂ）に示すように、読取部６の主走査方向の両端を押圧して、読取部６の高さ方向及び副走査方向の移動を同時にロックするロック機構５０を設けた。
【００２９】
（ロック機構）
図５はロック機構の動作の説明図である。図６は第１ロック部材と第２ロック部材の連動機構の説明図である。図５、図６中、（ａ）は通常時、（ｂ）はロック時である。図２及び図３に示すように、第１ロック部材５１及び第２ロック部材５２は、主走査方向に連続して設けられ、主走査方向の両端部に同一の（対称な）ロック機構５０が設けられている。以下では、駆動モータ９側の連動機構について説明し、駆動モータ９と反対側の連動機構については重複する説明を省略する。
【００３０】
図３に示すように、規制手段の一例であるロック機構５０は、センサホルダ６２が移動可能に支持する読取センサ６１の移動を規制可能である。ロック機構５０は、回動部材の一例である操作レバー５３の回動操作に伴って、読取センサ６１の高さ方向及び副走査方向の移動を規制可能である。ロック機構５０は、読取センサ６１の高さ方向の移動を規制する動作に連動して、読取センサ６１の副走査方向の移動を規制する。移動部材の一例である第１ロック部材５１及び第２ロック部材５２は、読取センサ６１と係合して、読取センサ６１を高さ方向の所定位置に移動可能である。
【００３１】
１対の押圧部の一例である第１ロック部材５１及び第２ロック部材５２は、読取センサ６１の主走査方向両端部をそれぞれ押圧可能である。第１ロック部材５１と第２ロック部材５２とが連動して読取センサ６１の両端を押し下げる。連動部の一例であるリンク部材５５は、第１ロック部材５１及び第２ロック部材５２の一方の高さ方向の移動に連動して他方を同方向に移動させる。
【００３２】
図５の（ｂ）に示すように、ロック機構５０は、読取センサ６１を圧縮コイルバネ６４の付勢力に抗して所定位置に退避させ、読取センサ６１を透明板４から離間させた位置で読取センサ６１の高さ方向の移動を規制する。
【００３３】
図６の（ａ）に示すように、操作レバー５３、筐体１、回動部材５４、リンク部材５５は四節リンク機構を構成する。第１ロック部材５１には操作レバー５３が固定されている。操作レバー５３は、筐体１の回動穴１０４に挿入された回動軸５３３を中心にして回動自在である。第２ロック部材５２は、回動部材５４の回動端の回動穴５４１を中心にして回動自在である。回動部材５４は、筐体１の回動穴１０３に挿入された回動軸５４２を中心にして回動自在である。
【００３４】
操作レバー５３の係合穴５３２ｂは、筐体１に設けられたロックボス１０５、１０６に係合して筐体１にロックされる。ロックボス１０５、１０６は、筐体１の表面から弾性的に突出して、係合穴５３２ｂに係合する。ロックボス１０５、１０６は、高さ方向の所定位置で、第１ロック部材５１及び第２ロック部材５２と係合して、読取センサ６１の高さ方向の移動を規制する。
【００３５】
図６の（ａ）に示す通常時は、係合穴５３２ｂがロックボス１０５に嵌合して、操作レバー５３が水平に保たれる。このため、第１ロック部材５１及び第２ロック部材５２は、読取センサ６１から離間している。図５の（ａ）に示すように、センサホルダ６２に対して圧縮コイルバネ６４が読取センサ６１を押し上げて、読取センサ６１は、スペーサ６３を透明板４の下面に摺擦させている。このようにして、通常時は、ロック機構５０がロック解除状態である。
【００３６】
図６の（ｂ）に示すように、操作レバー５３を起立させる方向に回動させると、係合穴５３２ｂは、筐体１の表面まで押し込まれてロックボス１０５から離脱する。離脱後さらに操作レバー５３を起立状態まで回動させると、係合穴５３２ｂがロックボス１０６に嵌合する。高さ方向係合部の一例であるロックボス１０５、１０６は、高さ方向の所定位置で第１ロック部材５１及び第２ロック部材５２と係合して、読取センサ６１の高さ方向の移動を規制する。
【００３７】
図５の（ｂ）に示すように、操作レバー５３を起立状態まで回動させたとき、第１ロック部材５１と第２ロック部材５２とが連動して、読取センサ６１の両端部を、圧縮コイルバネ６４の付勢力に抗して下方へ押し下げる。圧縮コイルバネ６４が縮んでセンサホルダ６２に読取センサ６１が沈み込み、透明板４から離間した所定位置に位置決められる。そして、第１ロック部材５１と第２ロック部材５２とが読取センサ６１を押し下げると、読取センサ６１の係合溝６１１が筐体１の係合リブ集合体１００に係合して、読取センサ６１の紙面と垂直な副走査方向の移動が規制される。
【００３８】
（連動機構）
図７は第１ロック部材と第２ロック部材の連動機構の斜視図である。図８は連動機構の組み立ての説明図である。図９は操作レバーの組み立ての説明図である。図７中、（ａ）は通常時、（ｂ）はロック時である。
【００３９】
図７の（ａ）に示すように、読取センサ６１がロック解除された通常時、係合穴５３２ｂがロックボス１０５に係合してリンク部材５５が高い位置に保持されている。図７の（ｂ）に示すように、読取センサ６１がロックされたロック時、係合穴５３２ｂがロックボス１０６に係合してリンク部材５５が低い位置に保持されている。
【００４０】
図８に示すように、操作レバー５３、筐体１、回動部材５４、リンク部材５５は四節リンク機構を構成する。第２ロック部材５２と第１ロック部材５１（操作レバー５３と回動部材５４）とは、リンク部材５５により連動する。回動部材５４は、筐体１の回動穴１０３に挿入された回動軸５４２を中心にして回動する。操作レバー５３は、筐体１の回動穴１０４に挿入された回動軸５３３を中心にして回動する。
【００４１】
第２ロック部材５２の端部に固定された回動軸５２３は、回動部材５４の回動穴５４１及びリンク部材５５の一方の回動穴５５１を回動自在に連結する。操作レバー５３の回動端に形成された回動穴５３１と回動穴５３２との間にリンク部材５５の他方の回動穴５５２を位置させて回動軸５３４を挿入することで、操作レバー５３とリンク部材５５とが回動自在に連結される。
【００４２】
第１ロック部材５１の回動軌跡と回動部材５４の回動端の回動軌跡は同径である。図５の（ｂ）に示すように、第２ロック部材５２は、透明板４に平行な姿勢を維持したまま高さ方向に回動可能である。これにより、第１ロック部材５１及び第２ロック部材５２は、読取部６の透明板４に対する高さ方向の姿勢を維持したまま、高さ方向の所定位置で読取部６をロックする。
【００４３】
図９に示すように、操作レバー５３の回動端には、図８に示すロックボス１０５、１０６に係合する係合穴５３２ｂが形成されている。表裏の関係となる係合穴５３２ｂと回動穴５３２とは同軸で直径を異ならせている。
【００４４】
（係合リブ集合体）
図１０は係合リブ集合体の斜視図である。図５の（ｂ）に示すように、第１ロック部材５１と第２ロック部材５２とが読取センサ６１を押し下げると、読取センサ６１の係合溝６１１が筐体１の係合リブ集合体１００に係合して、読取センサ６１の紙面と垂直な副走査方向の移動が規制される。図１０に示すように、副走査方向係合部の一例である係合リブ集合体１００は、高さ方向の所定位置で読取センサ６１と係合して、読取センサ６１の副走査方向の移動を規制する。筐体１には係合リブ集合体１００が副走査方向に延設され、係合リブ集合体１００には係合リブ１０１が等間隔で多数設けられている。
【００４５】
読取センサ６１には副走査方向に係合溝６１１が係合リブ１０１と同一ピッチで設けられている。読取センサ６１が高さ方向の所定位置まで押し下げられると、係合リブ１０１と係合溝６１１とが高さ方向に噛み合って、副走査方向の移動がロックされる。読取センサ６１は、高さ方向の所定位置で係合リブ集合体１００と係合して読取センサ６１の副走査方向の移動を規制する。
【００４６】
係合リブ１０１及び係合溝６１１は、同一ピッチで副走査方向に延設されている。このため、読取部６は副走査方向（矢印Ｅ方向）のいかなる位置でもロック可能となる。係合リブ集合体１００は、副走査方向の任意の位置で読取センサ６１と係合可能である。
【００４７】
係合溝６１１の入口（下端部）にはテーパ部６１２が形成され、係合リブ集合体１００の先端（上端部）にはテーパ部１０２が形成されている。このため、両者の係合の際、テーパ部６１２とテーパ部１０２とが先導して発生する読取センサ６１の主走査方向のガタつきを伴って、係合リブ１０１と係合溝６１１とがスムーズに係合する。
【００４８】
（操作レバー）
図１１は操作レバーの操作状態の説明図である。図５の（ｂ）に示すように、操作レバー５３を起立させる操作により読取センサ６１がロックされ、読取センサ６１のロック状態では操作レバー５３が起立している。
【００４９】
図１１に示すように、出荷時又は移送時は画像読取装置Ａの原稿圧着板３が閉鎖される。このため、原稿圧着板３に凹部３０１を設けて、図５の（ｂ）に示す読取センサ６１のロック状態で原稿圧着板３の閉鎖が可能となるようにしている。ここで、凹部３０１から透明板４を通じた光の入射を回避するために、凹部３０１は背面側へ貫通していない。
【００５０】
また、操作レバー５３は、画像読取装置Ａのフロント側から見て左奥側に設けている。これは、ユーザーの大多数が右利きである状況を踏まえて、操作レバー５３へのアクセスをし難くするためである。間違って操作レバー５３を操作して、読取センサ６１がロックされることを回避するためである。
【００５１】
また、読取センサ６１をロック状態からロック解除状態へ移行させる場合、操作レバー５３を画像読取装置Ａのフロント側から奥側へ押し倒すという比較的容易な操作となる。しかし、読取センサ６１をロック解除状態からロック状態へ移行させる場合、操作レバー５３が画像読取ユニットＢから突出していない状態で、画像読取装置Ａの奥側から操作レバー５３をフロント側へ持ち上げるという困難な操作となる。このため、操作レバー５３へ手指や原稿が偶然接触したり、間違って操作レバー５３を操作したりしても、読取センサ６１がロックされ難い。
【００５２】
（ロック状態の検知）
図１２はロック状態の検知センサの説明図である。図１２中、（ａ）は通常時、（ｂ）はロック時である。図１１に示すように、画像読取装置Ａの設置時又は使用時、原稿圧着板３を開いたとき、図５の（ｂ）に示すように、読取センサ６１がロック状態であれば、操作レバー５３が画像読取ユニットＢから突出している。このため、読取センサ６１のロック状態の有無の目視確認が良好に行える。
【００５３】
図５の（ａ）に示すように、検知手段の一例であるフォトインタラプタ１３及びセンサフラグ５１１は、読取センサ６１の高さ方向及び副走査方向の移動が規制されていることを電気的に検知する検知センサである。操作レバー５３の回動軸５３３にはセンサフラグ５１１が設けられている。筐体１にはフォトインタラプタ１３が設置されている。フォトインタラプタ１３は、センサフラグ５１１に遮光されることで、ＯＦＦ→ＯＮに出力を反転させる。
【００５４】
図１２の（ａ）に示すように、読取センサ６１のロック解除状態では、センサフラグ５１１がフォトインタラプタ１３を遮らない。制御部（２０：図５の（ａ））は、フォトインタラプタ１３の出力から読取センサ６１がロック解除状態であることを判断して、操作パネル２１を通じてユーザーによる画像読取ユニットＢの操作及び実動作を許可する。
【００５５】
図１２の（ｂ）に示すように、読取センサ６１のロック状態では、センサフラグ５１１がフォトインタラプタ１３を遮る。制御部（２０：図５の（ｂ））は、読取センサ６１がロック状態であることを判断して、操作パネル２１を通じてユーザーによる画像読取ユニットＢの操作及び実動作を禁止する。制御部（２０：図５の（ｂ））は、画像読取ユニットＢによる読取不可のエラー信号を出力する。
【００５６】
（実施の形態１の効果）
実施の形態１では、読取センサ６１の高さ方向の移動及び副走査方向の移動を規制可能である。このため、副走査方向の移動を規制している状態で高さ方向の衝撃が作用した場合であっても、読取センサ６１に作用する高さ方向の衝撃が小さくて済む。
【００５７】
実施の形態１では、読取センサ６１の高さ方向の移動を規制する動作に連動して、読取センサ６１の副走査方向の移動を規制する。読取センサ６１は、主走査方向、副走査方向、及び透明板鉛直方向においてほぼ同時にロックされる。このため、高さ方向と副走査方向の移動の規制を同時進行させて短時間で移動の規制を実現できる。高さ方向と副走査方向の移動とに対して独立した別々の機構やアクチュエータを設ける必要が無い。
【００５８】
実施の形態１では、読取センサ６１を圧縮コイルバネ６４の付勢力に抗して所定位置に移動させて読取センサ６１を透明板４から離間させる。このため、読取センサ６１がロック状態でも透明板４に当接している場合のような、ロック状態での衝撃による透明板４と読取センサ６１の離間／再衝突を回避できる。
【００５９】
実施の形態１では、第１ロック部材５１及び第２ロック部材５２が読取センサ６１を高さ方向の所定位置に移動させる。このため、主走査方向に長い読取センサ６１の全長を同時進行的に上昇／下降させて、主走査方向において均等な間隔又は当接圧を確保させることが容易である。
【００６０】
実施の形態１では、第１ロック部材５１及び第２ロック部材５２が読取センサ６１の主走査方向両端部をそれぞれ押圧可能である。このため、主走査方向に長い読取センサ６１の中央部分を押圧する必要が無い。読取センサ６１の中央部分を照明と撮像とに効率的に割り当てることができる。
【００６１】
実施の形態１では、係合リブ集合体１００は、副走査方向の任意の位置で読取センサ６１と係合可能である。このため、読取センサ６１が副走査方向のどの位置にあっても、読取センサ６１を副走査方向のホームポジションへ移動させることなく、そのままロック状態へ移行させることが可能である。
【００６２】
実施の形態１では、リンク部材５５は、第１ロック部材５１及び第２ロック部材５２のうちの一方の高さ方向の移動に連動して他方を同方向に移動させる。このため、第１ロック部材５１と第２ロック部材５２とに別々の駆動手段を設ける必要が無い。第１ロック部材５１と第２ロック部材５２の移動を同期させることが容易である。
【００６３】
実施の形態１では、操作レバー５３は、所定方向への回動により第１ロック部材５１の押圧部を所定位置に向けて押圧する。操作レバー５３は、ダイヤルやスライダといった他の手動操作部材に比較して、少ない部品点数で大きな力を入力でき、設置コスト、設置面積を節約できる。
【００６４】
実施の形態１では、フォトインタラプタ１３及びセンサフラグ５１１は、読取センサ６１の高さ方向の移動及び副走査方向の移動が規制されていることを検知する。このため、ロック状態で誤って読取センサ６１を移動させてしまうことを回避できる。
【００６５】
（変形例）
図１３は連動機構の別の例の説明図である。操作レバー５３と回動部材５４とを連動させる連動部はリンク部材（５５：図６）には限らない。フレキシブルシャフト、カム機構、レバー機構、スライダカム、歯車、歯付きベルト等で置き換えることができる。例えば、図１３の（ａ）、（ｂ）に示すように、操作レバー５３に固定したピニオンギア１５６と回動部材５４に固定したピニオンギア１５７とを、共通のラックギア１５５を用いて連動させてもよい。
【００６６】
＜その他の実施の形態＞
本発明の画像読取装置は、実施の形態１で説明した具体的な構成には限定されない。実施の形態１の構成の一部又は全部を等価な部材に置き換えた別の実施の形態でも実施可能である。
【００６７】
画像読取装置は、単独の装置でもよく、画像形成装置、カードリーダ、指紋認証装置等に組み込まれた装置であってもよい。画像読取を行う照明素子及び撮像素子は任意のものを採用可能である。撮像素子は、読取センサ６１の主走査方向に沿って受光素子を配列したものでもよく、投影光学系を介して撮像素子の撮像面上に原稿画像を投影して撮像するものであってもよい。
【符号の説明】
【００６８】
１：筐体、２：読取ユニットカバー、３：原稿圧着板、４：透明板、６：読取部、８：ガイドシャフト、９：駆動モータ、１０：駆動ギア、１１：駆動ベルト、１３：検知センサ、３１：ヒンジ、５０：ロック機構（規制手段）、５１：第１ロック部材（移動部材、押圧部）、５２：第２ロック部材（移動部材、押圧部）、５３：操作レバー（回動部材）、５４：回動部材、５５：リンク部材（連動部）、６１：読取センサ（読取手段）、６２：センサホルダ、６３：スペーサ、６４：圧縮コイルバネ（付勢手段）、１００：係合リブ集合体（副走査方向係合部）、１０３：回動穴、１０４：回動穴、１０５：ロックボス（高さ方向係合部）、１０６：ロックボス（高さ方向係合部）、６１１：係合溝、６１２：テーパ部、６１３：規制溝、６２１：規制リブ、Ａ：画像読取装置、Ｂ：画像読取ユニット
【図１】
2017224897.tif 000003
【図２】
2017224897.tif 000004
【図３】
2017224897.tif 000005
【図４】
2017224897.tif 000006
【図５】
2017224897.tif 000007
【図６】
2017224897.tif 000008
【図７】
2017224897.tif 000009
【図８】
2017224897.tif 000010
【図９】
2017224897.tif 000011
【図１０】
2017224897.tif 000012
【図１１】
2017224897.tif 000013
【図１２】
2017224897.tif 000014
【図１３】
2017224897.tif 000015